(57)【要約】【課題】障子のサイズを変更可能であるとともに防虫性に優れた障子を備えた建具等を提供する。【解決手段】室内外を連通する開口を形成する枠体に取り付けられ、２本の横框と２本の縦框とが矩形状に枠組みされた框体を有する障子を備えた建具であって、前記枠体を構成する下枠は、上方に突出して前記障子を支持する支持突片を有し、前記障子は、前記２本の縦框のうちの少なくとも一方の前記縦框の外周部と係合した状態で見付け方向にスライド可能なカバー部材と、前記カバー部材に取り付けられ、当該カバー部材とともにスライドして、前記カバー部材、前記框体、および、前記支持突片にて囲まれる領域を下方から覆う防虫部材と、を有する。【選択図】図６
2010126995.tif 000002
【特許請求の範囲】
【請求項１】
室内外を連通する開口を形成する枠体に取り付けられ、２本の横框と２本の縦框とが矩形状に枠組みされた框体を有する障子を備えた建具であって、
前記枠体を構成する下枠は、上方に突出して前記障子を支持する支持突片を有し、
前記障子は、前記２本の縦框のうちの少なくとも一方の前記縦框の外周部と係合した状態で見付け方向にスライド可能なカバー部材と、
前記カバー部材に取り付けられ、当該カバー部材とともにスライドして、前記カバー部材、前記框体、および、前記支持突片にて囲まれる領域を下方から覆う防虫部材と、を有することを特徴とする建具。
【請求項２】
請求項１に記載の建具であって、
前記カバー部材が前記障子の幅を広げる方向にスライドされて前記枠体に当接された状態で前記一方の縦框に固定されることを特徴とする建具。
【請求項３】
請求項１または請求項２に記載の建具であって、
前記防虫部材は、前記カバー部材の外側から下框の長手方向に沿って進入するビスにて固定されており、
前記カバー部材には、前記枠体に当接される面に前記ビスの頭部が収容される凹部が設けられていることを特徴とする建具。
【請求項４】
請求項３に記載の建具であって、
前記凹部は、前記カバー部材の室外に臨む方向に開放されるように形成されており、
前記枠体は、前記カバー部材が前記枠体に当接された際に、前記凹部を室外側から覆う覆い壁部を有することを特徴とする建具。
【請求項５】
請求項１乃至請求項４のいずれかに記載の建具であって、
前記枠体に解除可能に係止されて移動不能にロックされ前記開口の一部を閉塞する係止障子を備え、
前記障子は、前記カバー部材がスライドされて当該障子の幅が広げられた状態にて、前記係止障子と前記枠体との間の領域を覆うことを特徴とする建具。
【請求項６】
請求項１乃至請求項５のいずれかに記載の建具であって、
前記障子は、前記框体の内側に羽板を備えたガラリであることを特徴とする建具。
【請求項７】
２本の横框と２本の縦框とが矩形状に枠組みされた框体と、前記２本の縦框のうちの少なくとも一方の前記縦框の外周部と係合した状態で見付け方向にスライド可能なカバー部材と、前記カバー部材に取り付けられ、当該カバー部材とともにスライドする防虫部材とを、有する障子を、前記カバー部材をスライドさせることにより前記障子の見付け方向の幅を狭くした状態にて、室内外を連通する開口を形成し前記障子を支持する支持突片を有する枠体に、けんどん方式にて装着する装着行程と、
装着した前記障子の前記カバー部材をスライドさせることにより前記障子の見付け方向の幅を広げて前記カバー部材を前記枠体に当接させるとともに、前記カバー部材、前記框体、および、前記支持突片にて囲まれる領域を前記防虫部材にて下方から覆う拡幅工程と、
前記障子が拡幅された状態にて、前記カバー部材を前記一方の縦框に固定する固定工程と、
を有することを特徴とする建具の取付方法。
【発明の詳細な説明】
【技術分野】
【０００１】
本発明は、室内外を連通する開口を形成する枠体に取り付けられ、矩形状に枠組みされた框体を有する障子を備えた建具および建具の取付方法に関する。
【背景技術】
【０００２】
従来、室内外を連通する開口を形成する枠体に取り付けられ、矩形状に枠組みされた框体を有する障子を備えた建具として、例えば、上框が固定框と可動框とで構成された框体を有する障子を備えた建具が知られている（例えば、特許文献１参照）。このような建具の障子は、可動框が、上昇させることにより障子が枠体から外れることを防止するための外れ防止部材を兼ねることが記載されている。
【特許文献１】実公昭６０−３５７５５号公報
【発明の開示】
【発明が解決しようとする課題】
【０００３】
しかしながら、上記従来の建具のように、可動框を上昇させた際には、固定框が固定されている縦框より上側に突出するため、可動框の端部は縦枠に覆われず開放された状態となる。このため、障子を閉めておいても可動框の開放された端部から室内に虫が侵入する虞があるという課題があった。
【０００４】
本発明は、かかる課題に鑑みてなされたものであり、その目的とするところは、障子のサイズを変更可能であるとともに防虫性に優れた障子を備えた建具および建具の取付方法を提供することにある。
【課題を解決するための手段】
【０００５】
かかる目的を達成するために本発明の建具は、室内外を連通する開口を形成する枠体に取り付けられ、２本の横框と２本の縦框とが矩形状に枠組みされた框体を有する障子を備えた建具であって、前記枠体を構成する下枠は、上方に突出して前記障子を支持する支持突片を有し、前記障子は、前記２本の縦框のうちの少なくとも一方の前記縦框の外周部と係合した状態で見付け方向にスライド可能なカバー部材と、前記カバー部材に取り付けられ、当該カバー部材とともにスライドして、前記カバー部材、前記框体、および、前記支持突片にて囲まれる領域を下方から覆う防虫部材と、を有することを特徴とする建具である。
【０００６】
このような建具によれば、カバー部材は縦框の外周部と係合した状態で見付け方向にスライド可能なので、カバー部材をスライドさせることにより障子の幅を伸縮させること、すなわち障子のサイズを変更することが可能である。また、カバー部材をスライドさせて障子の幅を伸張させた際には、下框とカバー部材との間隔が広がることになるが、カバー部材には、当該カバー部材とともにスライドする防虫部材が設けられているので、障子の幅を伸張した状態であってもカバー部材、框体、および、支持突片にて囲まれる領域が防虫部材により下方から覆れる。このため、障子の幅を伸張した状態であっても、虫の室内への侵入を防止することが可能である。
【０００７】
かかる建具であって、前記カバー部材が前記障子の幅を広げる方向にスライドされて前記枠体に当接された状態で前記一方の縦框に固定されることが望ましい。  
このような建具によれば、カバー部材が障子の幅を広げる方向にスライドされて枠体に当接された状態で一方の縦框に固定されるので、枠体と障子との間を隙間なく覆うことが可能である。また、カバー部材を、係合している一方の縦框に固定するので、障子の幅が広げられた状態維持させることが可能である。
【０００８】
かかる建具であって、前記防虫部材は、前記カバー部材の外側から下框の長手方向に沿って進入するビスにて固定されており、前記カバー部材には、前記枠体に当接される面に前記ビスの頭部が収容される凹部が設けられていることが望ましい。  
このような建具によれば、防虫部材を固定するためのビスは、カバー部材の外側から下框の長手方向に沿って進入するので、ビスの頭部はカバー部材の外側であって下框とは反対側に位置することになる。そして、カバー部材には、枠体に当接される面にビスの頭部が収容される凹部が設けられているので、ビスの頭部がカバー部材の、枠体に当接される面より外側に突出しない。このため、カバー部材を確実に枠体に当接させることが可能である。
【０００９】
かかる建具であって、前記凹部は、前記カバー部材の室外に臨む方向に開放されて形成されており、前記枠体は、前記カバー部材が前記枠体に当接された際に、前記凹部を室外側から覆う覆い壁部を有することが望ましい。  
このような建具によれば、ビスの頭部が収容される凹部は、カバー部材の室外に臨む方向に開放されて形成されているので、カバー部材に防虫部材を取り付ける際には、障子が単体の状態にて凹部と隣接する空間を利用して容易に防虫部材を取り付けることが可能である。また、カバー部材が枠体に当接された際には、凹部を室外側から覆う覆い壁部により凹部およびビスの頭部が隠されるので、室外側からの美観に優れた建具を実現することが可能である。
【００１０】
かかる建具であって、前記枠体に解除可能に係止されて移動不能にロックされ前記開口の一部を閉塞する係止障子を備え、前記障子は、前記カバー部材がスライドされて当該障子の幅が広げられた状態にて、前記係止障子と前記枠体との間の領域を覆うことが望ましい。  
このような建具によれば、障子にて、係止障子とともに開口を覆うことが可能である。また、カバー部材がスライドされて幅が広げられた障子にて、係止障子と枠体との間が覆れた状態では、係止障子に障子の他方の縦框が当接され、枠体にカバー部材が当接されるので、障子の見付け方向の移動を規制して障子を枠体に取り付けることが可能である。このため、カバー部材をスライドさせて固定するだけで、障子を見付け方向に移動しないように容易に取り付けることが可能である。
【００１１】
かかる建具であって、前記障子は、前記框体の内側に羽板を備えたガラリであることが望ましい。  
このような建具によれば、開口の少なくとも一部すなわち、障子によって閉塞された領域であっても、室内外が連通されているので、換気することが可能である。
【００１２】
また、２本の横框と２本の縦框とが矩形状に枠組みされた框体と、前記２本の縦框のうちの少なくとも一方の前記縦框の外周部と係合した状態で見付け方向にスライド可能なカバー部材と、前記カバー部材に取り付けられ、当該カバー部材とともにスライドする防虫部材とを、有する障子を、前記カバー部材をスライドさせることにより前記障子の見付け方向の幅を狭くした状態にて、室内外を連通する開口を形成し前記障子を支持する支持突片を有する枠体に、けんどん方式にて装着する装着行程と、装着した前記障子の前記カバー部材をスライドさせることにより前記障子の見付け方向の幅を広げて前記カバー部材を前記枠体に当接させるとともに、前記カバー部材、前記框体、および、前記支持突片にて囲まれる領域を前記防虫部材にて下方から覆う拡幅工程と、前記障子が拡幅された状態にて、前記カバー部材を前記一方の縦框に固定する固定工程と、を有することを特徴とする建具の取付方法である。
【００１３】
このような建具の取り付け方法によれば、カバー部材をスライドさせて障子の幅を狭くした状態で枠体に、けんどん方式にて装着されるので、障子を容易に枠体に装着することが可能である。また、障子を装着した後には、カバー部材をスライドさせて障子の幅を広げて、すなわち障子のサイズを変更させて枠体に当接させるので枠体との間に隙間が形成されることなく障子を取り付けることが可能である。このとき、防虫部材もカバー部材とともにスライドされてカバー部材、框体、および、支持突片にて囲まれる領域を下方から覆うので、枠体に障子を装着し、装着した障子のカバー部材をスライドさせるだけで虫の侵入を防止した状態にて障子を取り付けることが可能である。
【発明の効果】
【００１４】
本発明によれば、障子のサイズを変更可能であるとともに防虫性に優れた障子を備えた建具および建具の取付方法を提供することが可能である。
【発明を実施するための最良の形態】
【００１５】
以下、本発明の一実施形態に係る建具について図面を参照して説明する。
【００１６】
本実施形態の建具１は、室内外を連通する開口を形成する枠体１０と、図１〜図３に示すように枠体１０内に固定され開口の一部を閉塞し、ガラス３が嵌め付けられて見付け方向に移動しないようにロックされた係止障子１５と、係止障子１５にて閉塞されない領域を閉塞可能であり、枠体１０に沿って移動可能な可動障子１６と、可動障子１６の室外側に配置された通気可能な通気障子としてのガラリユニット２０とを備えた建具１を例に挙げて説明する。以下の説明においては、建具１を室外側から見たときに上下となる方向を上下方向、左右となる方向を左右方向または見付け方向、室内外方向である奥行き方向を見込み方向として示す。
【００１７】
本実施形態の建具１は、枠体１０を構成する上枠１１と下枠１２とに、それぞれ室外側および室外側の領域に見付け方向に沿ってレール１１ａ、１２ａが見付け方向の全域に渡って設けられている。ここで、下枠１２に設けられたレール１２ａは障子を支持する支持突片の一例である。左右の縦枠１３、１４には、室外側の縁部から見付け方向の中央側に向かって突出された覆い壁部としての突出壁部１３ａ、１４ａがそれぞれ設けられている。
【００１８】
枠体１０には、室外側の領域に、見付け方向において枠体１０が形成する開口のほぼ中央に解除可能に係止された係止障子１５と、室内側の領域に、枠体１０に設けられたレール１１ａ、１２ａに案内されて見付け方向に移動可能な２枚の可動障子１６と、２枚の可動障子１６の室外側の領域に、係止障子１５と枠体１０との間に介在されて各々の開口部を通気可能に覆うガラリユニット２０と、が設けられている。
【００１９】
係止障子１５は、矩形状の框体１５ａの内側に面材としてのガラス１７が設けられ、解除可能なロック機構１８により移動不能に枠体１０に係止されている。ロック機構１８を解除した場合には、枠体１０の上枠１１および下枠１２に設けられたレール１１ａ、１２ａに案内されて見付け方向に移動可能に設けられている。また、係止障子１５の縦框１５ｂには、上下の端部に係止障子１５が見付け方向に移動する際にレール１１ａ、１２ａと摺動する摺動片１５ｃが設けられている。摺動片１５ｃは、見付け方向において縦框１５ｂより外側に、すなわち、係止障子１５の幅が広がる方向に突出する部位を有しており、ガラリユニット２０が取り付けられた際には、ガラリユニット２０における開口の中央側に位置する縦框（以下、中央側縦框という）２４が摺動片１５ｃに当接される。
【００２０】
２枚の可動障子１６は、枠体１０が形成する開口の中央に係止障子１５が係止された際に、係止障子１５の左右に、枠体１０との間に形成される開口部を閉塞可能に設けられている。また、可動障子１６は、枠体１０に設けられたレール１１ａ、１２ａに案内されて見付け方向に移動可能に設けられている。
【００２１】
各々のガラリユニット２０は、上下２本の横框２１、２２と見付け方向に間隔を隔てて配置される２本の縦框２３、２４とが矩形状に枠組みされた框体２５を有し、２本の縦框２３、２４に掛け渡すように複数の羽板２６が設けられている。上框２１には、上枠１１に設けられたレール１１ａが挿入される上溝部２１ａが設けられており、下框２２には、下枠１２に設けられたレール１２ａが挿入される下溝部２２ａが設けられている。
【００２２】
２本の縦框２３、２４には、矩形状の框体２５として枠組みされた際に互いに対向する面２３ａ、２４ａに、羽板２６の縦断面形状とほぼ同じ形状のスリット２３ｅが対向する位置に設けられており、羽板２６の端部が挿入されて構成されている。また、２本の縦框２３、２４は、互いに対向する面２３ａ、２４ａの、羽板２６が挿入された部位より室内側の部位が互いに離れる方向に凹設されており、２本の縦框２３、２４の凹設された部位に掛け渡すように防虫用の網材２７がゴム製の網戸ロープ２８にて取り付けられている。
【００２３】
中央側縦框２４には、開口の中央側に向かって突出する縦壁部２４ｂが、中央側縦框２４の長手方向に沿ってほぼ全長に渡って設けられている。縦壁部２４ｂは、中央側縦框２４が係止障子１５の摺動片１５ｃに当接された際に、係止障子１５の縦框１５ｂの室外側にて、係止障子１５側の端部が当該縦框１５ｂと接触しない程度の間隙を有しつつ見込み方向に重なるように形成されている。
【００２４】
ガラリユニット２０は、見付け方向において係止障子１５の両側にそれぞれ設けられているが、２つのガラリユニットは、左右が反転した形状をなしているが構成は同じなので、ここでは室外側から見て左側に位置するガラリユニット２０を例に挙げて説明する。
【００２５】
左側のガラリユニット２０は、左側の縦框２３、すなわち左の縦枠１３と対向する縦框２３の外周部となる室外側の面２３ｂ、室内側の面２３ｃ、および縦枠１３に臨む面２３ｄを三方から覆うように構成され、外周部と係合した状態で、左の縦框２３に対して見付け方向にスライド可能に設けられたカバー部材３０を有している。カバー部材３０は、室外側の面２３ｂに当接される室外側壁部３１と、室内側の面２３ｃに当接される室内側壁部３２と、室外側壁部３１と室内側壁部３２とを枠体１０と対面する側にて連結する連結壁部３３とを有し、縦框２３の長手方向の長さとほぼ同じ長さに形成されている。室内側壁部３２の、開口における中央側の縁は室内側に屈曲されて、カバー部材３０をスライドする際に把持される把持部３２ｂが設けられている。
【００２６】
また、図４に示すように、縦框２３の室内側の面２３ｃに沿って配置されるカバー部材３０の室内側壁部３２には、見付け方向に長く形成された長孔３２ａが形成されている。この長孔３２ａを貫通するビス３４が縦框２３に螺合されており、ビス３４が締め込まれることにより、カバー部材３０は縦框２３に対して任意の位置にてスライド不能に固定される。
【００２７】
カバー部材３０の縦枠１３に臨む面を有する連結壁部３３は、見込み方向においてほぼ半分から室外側の部位が、室外側に開放されるとともに室内側の部位より開口の中央側に位置するように窪む凹部３３ａが長手方向に沿って形成されている。凹部３３ａの下端部には、図５、図６に示すように、框体２５の外方から下框２２側に向かって侵入するビス３５にて、カバー部材３０および左の縦框２３の下端の一部を覆う防虫部材３６が取り付けられている。このため、防虫部材３６は、カバー部材３０とともに縦框２３に対して見付け方向にスライドするように構成されている。
【００２８】
防虫部材３６は、図７に示すように、ガラリユニット２０が枠体１０に装着された際に、カバー部材３０および左の縦框２３の下端部と下枠１２のレール１２ａとにて囲まれる領域を覆うように構成されており、下框２２、カバー部材３０および左の縦框２３の下に配置される防虫部３６ａと、カバー部材３０の凹部３３ａに固定される固定部３６ｂとを有している。
【００２９】
防虫部３６ａは、見込み方向の幅が、ガラリユニット２０が下枠１２のレール１２ａに支持された状態で、カバー部材３０の室外側の部位とレール１２ａとの間をほぼ覆う幅を有している。防虫部３６ａの左側の縁部であって見込み方向におけるほぼ中央には、防虫部３６ａとほぼ直角をなすように上方に突出された固定部３６ｂが設けられている。また防虫部３６ａは、固定部３６ｂがビス３５にて凹部３３ａに固定されてカバー部材３０が最も枠体側にスライドされた際に、防虫部３６ａの右側の縁部３６ｃが下框２２の下側に位置するように構成されている。
【００３０】
そして、ガラリユニット２０の取り付け方法は、まず、カバー部材３０を縦框２３に固定しているビス３４を緩めた状態で、ガラリユニット２０の見付け方向の幅が狭くなるようにカバー部材３０をスライドさせておく。
【００３１】
見付け方向の幅が狭くなるようにカバー部材３０をスライドさせたガラリユニット２０の上端側が下端部側より前方に位置するように傾斜させた姿勢にて上枠１１のレール１１ａが上溝部２１ａに挿入されるように上端側を上枠１１に係合させる。その後、ガラリユニット２０の下端側を前方に移動させてガラリユニット２０をほぼ鉛直に立て、そのまま降下させて下枠１２のレール１２ａが下溝部２２ａに挿入されるように取り付ける、所謂けんどん方式にて枠体１０に装着する（装着工程）。このとき、ガラリユニット２０は下枠１２のレール１２ａに支持される。
【００３２】
次に、カバー部材３０を縦框２３に固定しているビス３４が緩められた状態にて、ガラリユニット２０の見付け方向の幅が広がる方向にカバー部材３０をスライドさせる（拡幅工程）。このとき、カバー部材３０は、枠体側の連結壁部３３が左の縦枠１３に当接され、右側に位置する中央側縦框２４を係止障子１５の縦框１５ｂに設けられた摺動片１５ｃに当接させる。このように、カバー部材３０の連結壁部３３が左の縦枠１３に当接された状態では、カバー部材３０の室外側に設けられた凹部３３ａが、左側の縦枠１３に設けられた突出壁部１３ａに覆われるため、凹部３３ａにビス３５にて固定されている防虫部材３６の固定部３６ｂもビス３５自身も室外側から見えないように隠される。また、このときカバー部材３０とともに防虫部材３６もスライドされ、カバー部材３０、左の縦框２３、および、レール１２ａにて囲まれる領域を下方から覆っている。
【００３３】
そして、カバー部材３０は、スライドされてガラリユニット２０の幅が広げられた状態にて、左の縦框２３にビス３４にて固定される（固定工程）。カバー部材３０が縦框２３に固定されることにより、ガラリユニット２０は見付け方向に伸縮できなくなり、係止障子１５のガラリユニット側への移動が規制される。このため、係止障子１５の左右両側にガラリユニット２０が装着され、ガラリユニット２０の中央側縦框２４が係止障子１５の摺動片１５ｃに当接されカバー部材３０が縦枠１３に当接された状態で取り付けられると係止障子１５の見付け方向の移動が規制され、ロック機構１８を解除した状態であっても係止障子１５が固定された状態となる。
【００３４】
本実施形態の建具１によれば、カバー部材３０は縦框２３の外周部と係合した状態で見付け方向にスライド可能なので、カバー部材３０をスライドさせることによりガラリユニット２０の見付け方向における幅を伸縮させること、すなわちガラリユニット２０のサイズを変更することが可能である。
【００３５】
また、カバー部材３０をスライドさせてガラリユニット２０の幅を伸長させた際には、下框２２とカバー部材３０の連結壁部３３との間隔が広がることになるが、カバー部材３０には、当該カバー部材３０とともにスライドする防虫部材３６がビス３５にて固定されているので、ガラリユニット２０の幅を伸長した状態であってもカバー部材３０、縦框２３、および、レール１２ａにて囲まれた領域は防虫部材３６により下方から覆れる。このため、ガラリユニット２０の幅を伸張した状態であっても、室内への虫の侵入を防止することが可能である。
【００３６】
このとき、カバー部材３０に防虫部材３６を固定するためのビス３５は、カバー部材３０の外側から下框２２の長手方向に沿って進入しており、ビス３５の頭部３５ａは、カバー部材３０に設けられ室外に臨む方向に開放されて形成された凹部３３ａに収容されているので、カバー部材３０に防虫部材３６を取り付ける際には、ガラリユニット２０が単体の状態にて凹部３３ａの側方から容易に防虫部材３６を取り付けることが可能である。
【００３７】
そして、防虫部材３６が取り付けられた状態では、ビス３５の頭部３５ａはカバー部材３０の外側であって下框２２とは反対側に位置して凹部３３ａに収容されているので、ビス３５の頭部３５ａがカバー部材３０の、枠体１０に当接される面３３ｂより外側に突出しない。このため、カバー部材３０を確実に枠体１０に当接させることが可能である。
【００３８】
さらに、カバー部材３０が枠体１０に当接された際には、凹部３３ａを室外側から覆う突出壁部１３ａにより凹部３３ａおよびビス３５の頭部３５ａが隠されるので、室外側からの美観に優れた建具１を実現することが可能である。
【００３９】
また、上記実施形態の建具１は、カバー部材３０をスライドさせてガラリユニット２０の幅を狭くした状態で枠体１０に、けんどん方式にて装着されるので、ガラリユニット２０を容易に枠体１０に装着することが可能である。また、ガラリユニット２０を装着した後には、カバー部材３０をスライドさせてガラリユニット２０の幅を広げて、すなわちガラリユニット２０のサイズを変更させて枠体１０に当接させるので枠体１０との間に隙間が形成されることなくガラリユニット２０を取り付けることが可能である。このとき、防虫部材３６もカバー部材３０とともにスライドされてカバー部材３０、縦框２３、および、レール１２ａにて囲まれる領域を下方から覆うので、枠体１０にガラリユニット２０を装着し、装着したガラリユニット２０のカバー部材３０をスライドさせるだけで虫の侵入を防止した状態にガラリユニット２０を取り付けることが可能である。
【００４０】
上記実施形態においては、係止障子１５の左右に設けられる障子をガラリユニット２０としたが、これに限らず、面格子などの面材を備えた形態であっても構わない。
【００４１】
また、上記実施形態においては、係止障子１５の左右に設けられたガラリユニット２０がいずれもカバー部材３０を備えた例について説明したが、カバー部材３０がいずれか一方のガラリユニットに設けられた構成であっても構わない。
【００４２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４３】
【図１】本実施形態に係る建具を室外側から見た外観図である。
【図２】本実施形態に係る建具の水平断面図である。
【図３】図２におけるＡ−Ａ断面図である。
【図４】本実施形態に係るガラリユニットを室内側から見た正面図である。
【図５】防虫部材と下枠のレールとの配置を説明するための側面図である。
【図６】ガラリユニットを下方から見た図であり、上段はカバー部材を縮めた状態を示す図であり、下段はカバー部材を広げた状態を示す図である。
【図７】防虫部材を説明するための斜視図である。
【符号の説明】
【００４４】
１  建具、１０  枠体、１２  下枠、１２ａ  レール、１３  縦枠、
１３ａ  突出壁部、２０  ガラリユニット、２２  下框、２３  縦框、２５  框体、
２６  羽板、３０  カバー部材、３１  室外側壁部、３２  室内側壁部、
３３  連結壁部、３３ａ  凹部、３５  ビス、３５ａ  頭部、３６  防虫部材
【図１】
2010126995.tif 000003
【図２】
2010126995.tif 000004
【図３】
2010126995.tif 000005
【図４】
2010126995.tif 000006
【図５】
2010126995.tif 000007
【図６】
2010126995.tif 000008
【図７】
2010126995.tif 000009